(57)【要約】【課題】カメラ本体に取り付けられるストロボケースが移動可能なポップアップ機構を有するとともにカメラ全体の小型化を図ることができ、さらに、配線部が損傷することを防止できるストロボ内蔵カメラを提供する。【解決手段】カメラ本体２と、第１の回動部１１と第２の回動部１２とを有し、第１の回動部１１でカメラ本体２に対して回動自在に軸支される支持部３と、前記第２の回動部で前記支持部に対して回動自在に側面が軸支され、ストロボ発光部５を有し、第１の位置と第２の位置との間で移動可能なストロボケース４と、支持部３を第２の位置で係止する第１の係止部１５と、ストロボケース４を第２の位置で係止する第２の係止部１６と、を備え、支持部３が少なくとも２枚の板体３ａ、３ｂを重ね合わせて形成され、ストロボ発光部５とカメラ本体２とを電気的に接続する配線部６が、前記２枚の板体３ａ、３ｂの間に挟持される。【選択図】図５
2010015178.tif 000002
【特許請求の範囲】
【請求項１】
カメラ本体と、
第１の回動部と第２の回動部とを有し、前記第１の回動部で前記カメラ本体に対して回動自在に軸支される支持部と、
前記第２の回動部で前記支持部に対して回動自在に側面が軸支され、ストロボ発光部を有し、第１の位置と第２の位置との間で移動可能なストロボケースと、
前記支持部を第２の位置で係止する第１の係止部と、
前記ストロボケースを第２の位置で係止する第２の係止部と、を備え、
前記支持部が少なくとも２枚の板体を重ね合わせて形成され、
前記ストロボ発光部と前記カメラ本体とを電気的に接続する配線部が、前記２枚の板体の間に挟持されるストロボ内蔵カメラ。
【発明の詳細な説明】
【技術分野】
【０００１】
本発明は、ストロボ内蔵カメラに関し、特にカメラ本体に取り付けられるストロボケースが第１の位置と第２の位置との間で移動可能なポップアップ機構を有するストロボ内蔵カメラに関するものである。
【背景技術】
【０００２】
従来より、デジタルスチルカメラやフィルム感光型の小型カメラ等において、写真撮影を行う際の補助光を照射するストロボ発光部を有するストロボケースをカメラに内蔵するように構成されたストロボ内蔵カメラが一般に普及している。
【０００３】
このストロボ内蔵カメラには、レンズバリアの開閉動作を行うタイプのものの他に、カメラ本体に取り付けられるストロボケースが第１の位置と第２の位置との間で移動可能なポップアップ機構を有するタイプのものがある。
【０００４】
一般に、ポップアップ機構を有するタイプのストロボ内蔵カメラは、そのポップアップ機構を設けるためにカメラ全体が大型化してしまうという問題がある。この問題を解決するものとして、例えば特許文献１や特許文献２に記載されたストロボ内蔵カメラが知られている。
【０００５】
まず、特許文献１に係るストロボ内蔵カメラについて、図１９（ａ），（ｂ）および図２０を用いて説明する。ここで、図１９（ａ）はストロボ筐体１０２が収納位置にある状態を示す図であり、図１９（ｂ）はストロボ筐体１０２が突出位置にある状態を示す図であり、図２０はストロボ筐体１０２およびその近傍部分の分解斜視図である。
【０００６】
これらの図に示すように、ストロボ筐体１０２を支持する支持レバー１０１は、第１の回動部１０１ａと第２の回動部１０１ｂとを有し、カメラ本体１００に対して第１の回動部１０１ａで回動自在に軸支されている。また、ストロボ発光部１０２ａを有するストロボ筐体１０２は、その下部にストロボ支持部１０２ｂを有し、支持レバー１０１の第２の回動部１０１ｂがストロボ支持部１０２ｂを軸支することによって、支持レバー１０１に回動自在に取り付けられている。また、ストロボ発光部１０２ａからの発光は、略直方体であるストロボ筐体１０２の各面のうち、第１の回動部１０１ａおよび第２の回動部１０１ｂにおける回動軸１０３，１０４と直交する面から照射される。また、ストロボ筐体１０２は収納位置において、カメラ本体１００に完全に収納される。
【０００７】
なお、図１９（ｂ）は、ストロボ筐体１０２がカメラ本体１００から突出されて、ストロボ発光部１０２ａを発光させることが可能な姿勢を示す。この図１９（ｂ）に示すように、ストロボ筐体１０２を突出させた姿勢においても、ストロボ筐体１０２はカメラ本体１００から完全には露呈されておらず、ストロボ筐体１０２におけるストロボ支持部１０２ｂの近傍部分がカメラ本体１００に収納されたままの状態である。
【０００８】
特許文献１に係るストロボ内蔵カメラは、以上のような構成により、ストロボ装置全体が占有する空間を小さくなるように図られている。
ところで、特許文献１には、ストロボ発光部１０２ａとカメラ本体１００とを電気的に接続する配線部をいかに配置するかに関しては言及されていないが、本願出願人は配線部がストロボ支持部１０２ｂ付近に配置されていると推測する。それは、ストロボ支持部１０２ｂ付近以外の箇所に配線部を配置すると、ストロボ筐体１０２が突出位置にあるときに、配線部が露出することとなり、配線部の損傷等を招くおそれがあるからである。逆に、配線部の露出を防止するために、ストロボ筐体１０２が突出位置にあるときでも、ストロボ筐体１０２がカメラ本体１００から外部に完全に露呈することなく設計されているとも考えられる。
【０００９】
次に、特許文献２に開示されたストロボ内蔵カメラは図２１、図２２（ａ），（ｂ）に示すような構造とされている。
これらの図に示すように、このストロボ内蔵カメラは、側面視して略三角形状のストロボブロック２０１をカメラ本体２００の上面部から出退自在に保持した構造であり、ストロボブロック２０１の左右の側板部を一対の支持リンク機構２０２で出退自在に支持している。各支持リンク機構２０２は、図外のトーションばねの回動付勢力を複数の歯車を介して受けている原動レバー２０３と、この原動レバー２０３よりも少し後方に配設されているＣ字型リンク２０４と、原動レバー２０３とＣ字型リンク２０４とストロボブロック２０１とを連結するＬ字型リンク２０５とから構成されている。また、原動レバー２０３の一端部２０３ａとＣ字型リンク２０４の一端部２０４ａとが、カメラ本体２００の所定位置に固定されたストロボ支持体２０５に回転自在に取り付けられており、原動レバー２０３の他端部２０３ｂは、ストロボブロック２０１が突出した際に、ストロボブロック２０１の下端部となる箇所に回動可能に連結され、さらに、Ｌ字型リンク２０５の中間部２０５ａが原動レバー２０３に連結され、Ｌ字型リンク２０５の一端部２０５ｂがＣ字型リンク２０４の他端部に連結され、Ｌ字型リンク２０５の他端部２０５ｃがストロボブロック２０１に連結されている。
【００１０】
そして、図２２（ｂ）に示すようにストロボブロック２０１がカメラ本体２００の上面部に収容された姿勢から、図２２（ａ）に示すような突出姿勢に移動する際には、ストロボブロック２０１のストロボレンズ２０１ａが斜め下方から前方を向くように回動しながら、ストロボブロック２０１がほぼ真上の位置に上昇しながら突出するようになっている。なお、図２１に示すように、カメラ本体２００の前面中央部には、ズームレンズなどを内包した鏡筒２０６が設けられている。また、図２２（ｂ）に示すように、このストロボ内蔵カメラでは、ストロボブロック２０１の収納時に、ストロボブロック２０１がバッテリ室２０７と、カメラ本体２００の前面部２００ａとの間に格納されるように配設されている。
【００１１】
特許文献２に係るストロボ内蔵カメラは、以上のような構成により、ストロボ装置全体が占有する空間を小さくなるように図っている。
ここで、特許文献２においても、ストロボブロック２０１の発光部とカメラ本体２００とを電気的に接続する配線部をいかに配置するかに関しては言及されていないが、本願出願人は配線部を、例えば支持リンク機構２０２付近に配置させて、ストロボブロック２０１が突出位置にあるときでも、できるだけ配線部がカメラ本体２００から外部に露出しないように設計されていると考えられる。
【先行技術文献】
【特許文献】
【００１２】
【特許文献１】特開平１１−３２７００８号公報
【特許文献２】特開平１０−２２８０５０号公報
【発明の概要】
【発明が解決しようとする課題】
【００１３】
しかしながら上記特許文献１の構成では、支持レバー１０１の第２の回動部１０１ｂで軸支されているストロボ支持部１０２ｂがストロボ筐体１０２の下部に設けられているため、これ以上、ストロボ装置全体が占有する空間を小さくし、ストロボ内蔵カメラの小型化を図ることは困難であるという問題点を有する。
【００１４】
また、上記特許文献２の構成においても、３つのリンク（原動レバー２０３、Ｃ字型リンク２０４、Ｌ字型リンク２０５）などの支持リンク機構２０２や複数の歯車などを有し、図２２（ｂ）などに示すように、収納時にＣ字型リンク２０４などがストロボブロック２０１の収納箇所よりも下方に突出する配置であるため、この構成においても、ストロボ装置全体が占有する空間を小さくし、ストロボ内蔵カメラの小型化を図ることは困難であるという問題点を有する。
【００１５】
また、図１９、図２０に示すストロボ発光部１０２ａや図２１、図２２に示すストロボブロック２０１の発光部からの発光が、カメラ本体１００、２００の前方中央にある鏡筒等の部材により乱反射されることを防ぐために、突出姿勢では、ストロボ筐体１０２やストロボブロック２０１をカメラ本体１００、２００からできるだけ離れた位置となることが望ましい。しかし、このストロボ内蔵カメラでは支持レバー１０１や原動レバー２０３、Ｃ字型リンク２０４がカメラ本体１００、２００の内部に設けられているため、突出位置でのストロボ筐体１０２やストロボブロック２０１をカメラ本体１００、２００から離す距離を長くすることが困難であるという問題点を有する。
【００１６】
また、ストロボ筐体１０２やストロボブロック２０１をカメラ本体１００、２００から突出させた場合でも配線部が露出することを防止するために、ストロボ筐体１０２やストロボブロック２０１をカメラ本体１００、２００から完全に露呈させることができず、この観点からも、突出姿勢でストロボ筐体１０２やストロボブロック２０１を高く配置することが困難であるという問題点も有する。
【００１７】
本発明は上記従来の問題点を解決するもので、カメラ本体に取り付けられるストロボケースが第１の位置と第２の位置との間で移動可能なポップアップ機構を有しつつ、カメラ全体の小型化を図ることができ、さらに配線部が損傷することを防止できるストロボ内蔵カメラを提供することを目的とする。
【課題を解決するための手段】
【００１８】
これらの目的を達成するために本発明のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部と、を備え、前記支持部が少なくとも２枚の板体を重ね合わせて形成され、前記ストロボ発光部と前記カメラ本体とを電気的に接続する配線部が、前記２枚の板体の間に挟持されるものである。
【００１９】
この構成によって、カメラ本体に取り付けられるストロボケースが第１の位置と第２の位置との間で移動可能なポップアップ機構を有しつつ、第１の位置において、ストロボケースと支持部とがコンパクトに格納できてカメラ全体の小型化を図ることができる。
【発明の効果】
【００２０】
以上のように本発明によれば、カメラ本体に取り付けられるストロボケースが第１の位置と第２の位置との間で移動可能なポップアップ機構を有しつつ、カメラ全体の小型化を図ることができるという優れた効果が得られる。また、ストロボケースが第２の位置にある場合でも配線部を露出させることがないため、配線部が他の部材に接触することによる損傷を防止できる。
【図面の簡単な説明】
【００２１】
【図１】本発明の実施の形態１における第２の位置のときのストロボ内蔵カメラの斜視図
【図２】本発明の実施の形態１における第１の位置のときのストロボ内蔵カメラの斜視図
【図３】本発明の実施の形態１における第２の位置のときのストロボ内蔵カメラの正面図
【図４】図３における線分Ａ−Ａ’での断面の要部拡大図であって第２の位置のときの図
【図５】本発明の実施の形態１における第２の位置のときのストロボ内蔵カメラの側面の要部拡大図
【図６】図３における線分Ａ−Ａ’での断面の要部拡大図であって第１の位置のときの図
【図７】本発明の実施の形態２における第１の位置のときのストロボ内蔵カメラの斜視図
【図８】本発明の実施の形態２における第２の位置のときのストロボ内蔵カメラの斜視図
【図９】本発明の実施の形態２における第３の位置のときのストロボ内蔵カメラの斜視図
【図１０】本発明の実施の形態２における第１の位置のときのストロボ内蔵カメラの要部拡大図
【図１１】本発明の実施の形態２における第１の位置において第３の係止部を押した瞬間のストロボ内蔵カメラの要部拡大図
【図１２】本発明の実施の形態２における第３の位置のときのストロボ内蔵カメラの要部拡大図
【図１３】本発明の実施の形態２における第２の位置のときのストロボ内蔵カメラの要部拡大図
【図１４】本発明の実施の形態３における第１の位置のときのストロボ内蔵カメラの要部拡大図
【図１５】本発明の実施の形態３における第２の位置のときのストロボ内蔵カメラの要部拡大図
【図１６】本発明の実施の形態３における第２の位置から第１の位置へ移動するときのストロボ内蔵カメラの要部拡大図
【図１７】本発明の実施の形態３における第２の位置から第１の位置へ移動するときのストロボ内蔵カメラの要部拡大図
【図１８】本発明の実施の形態３における第２の位置から第１の位置へ移動するときのストロボ内蔵カメラの要部拡大図
【図１９】（ａ），（ｂ）は従来のストロボ内蔵カメラの要部拡大図で、（ａ）はストロボ筐体が収納位置にある状態を示す図、（ｂ）はストロボ筐体が突出位置にある状態を示す図
【図２０】同従来のストロボ内蔵カメラの要部分解斜視図
【図２１】その他の従来のストロボ内蔵カメラの側面図
【図２２】（ａ），（ｂ）は同その他の従来のストロボ内蔵カメラの要部拡大図で、（ａ）はストロボブロックが突出位置にある状態を示す図、（ｂ）はストロボブロックが収納位置にある状態を示す図
【発明を実施するための形態】
【００２２】
本発明のストロボ内蔵カメラは、カメラ本体と、第１の回動部と第２の回動部とを有し、前記第１の回動部で前記カメラ本体に対して回動自在に軸支される支持部と、前記第２の回動部で前記支持部に対して回動自在に側面が軸支され、ストロボ発光部を有し、第１の位置と第２の位置との間で移動可能なストロボケースと、前記支持部を第２の位置で係止する第１の係止部と、前記ストロボケースを第２の位置で係止する第２の係止部と、を備え、前記支持部が少なくとも２枚の板体を重ね合わせて形成され、前記ストロボ発光部と前記カメラ本体とを電気的に接続する配線部が、前記２枚の板体の間に挟持されるものであり、これにより、ストロボケースが第２の位置にある場合でも配線部を露出させることがないため、配線部が他の部材に接触することによる損傷を防止できるという作用を有する。
【００２３】
以下、本発明の実施の形態について、図面を用いて説明する。
（実施の形態１）
図１および図２は本発明の実施の形態１におけるストロボ内蔵カメラの斜視図であり、図３は同正面図であり、図４および図６は図３における線分Ａ−Ａ’での断面の要部拡大図であり、図５は本発明の実施の形態１におけるストロボ内蔵カメラの要部拡大側面図である。なお、図１、図３〜図５はストロボケース４が第２の位置Ｓにあるときを示し、図２および図６はストロボケース４が第１の位置Ｆにあるときを示している。ここで、本明細書および特許請求の範囲で用いる第１の位置および第２の位置という用語は、ストロボケース４が第１の位置にあるときよりも第２の位置にあるときの方がカメラ本体２からの距離が長くなるという、相対的な位置関係を示す用語として使用する。
【００２４】
図１〜図３に示すように、このストロボ内蔵カメラ１では、カメラ本体２の上面２ａに、略直方体であるストロボケース４と、このストロボケース４を支持する支持部３とが設けられている。また、ストロボケース４は、カメラ本体２および鏡筒１４に対して、図１に示すような第２の位置Ｓにある場合に、図２に示すような第１の位置Ｆにある場合に比べて離れた位置となる。また、カメラ本体２の上面２ａには、シャッター釦１７等の操作部が配置されている。また、カメラ本体２の正面部におけるストロボケース４の前方位置には、ズームレンズなどを内包した鏡筒１４が取り付けられている。
【００２５】
図４に示すように、支持部３は、第１の回動部１１および第２の回動部１２を有し、第１の回動部１１を中心にして回動自在にカメラ本体２に軸支されている。第１の回動部１１および第２の回動部１２は、それぞれ円柱状の軸材で構成されている。また、支持部３は、主に側面部３ｄと平面部とを備えた略コの字形状（略Ｃ型チャネル形状）に形成されているとともに、前面部にはカバー部３ｃを有している。支持部３の平面部は、第１の板体３ａと第２の板体３ｂとを貼り合わせて構成されている。また、カバー部３ｃ内には、弦巻バネ等の弾性体からなる第１の弾性部材９が、第１の回動部１１に外装した姿勢で配設され、この第１の弾性部材９は、支持部３をカメラ本体２に対して第２の位置Ｓに付勢するよう作用する。
【００２６】
また、ストロボケース４は、第２の回動部１２を中心として、支持部３に対して回動自在に、そのストロボケース４の側面４ｂで軸支されている（図５参照）。また、図４に示すように、ストロボケース４の後部下端には、弦巻バネ等の弾性体からなる第２の弾性部材１０が、第２の回動部１２に外装した姿勢で配設され、この第２の弾性部材１０は、ストロボケース４を支持部３に対して第２の位置Ｓに付勢するよう作用する。
【００２７】
そして、図６に示すようにストロボケース４が第１の位置Ｆにあるときに、第１の回動部１１が支持部３の前側でかつストロボケース４の前方となる箇所に配設され、第２の回動部１２が支持部３の後側となる箇所に配設される。また、第２の回動部１２は、ストロボケース４が第１の位置Ｆにあるときに支持部３の後側となり、かつストロボケース４が第１の位置Ｆおよび第２の位置Ｓにあるときのいずれの場合においてもストロボケース４の後側となる箇所に配設されている。すなわち、この実施の形態１のストロボ内蔵カメラ１では、ストロボケース４が第１の位置Ｆにあるときに、第１の回動部１１が支持部３の前側となり、第２の回動部１２が支持部３の後側となる箇所に配設され、第１の位置Ｆから第２の位置Ｓに移動する際に、第１の回動部１１を中心として支持部３を斜め上方に向けて回動させ、第２の位置Ｓに移動した際のストロボケース４の姿勢は、ストロボケース４が第１の位置Ｆにあるときの姿勢と略同様な前向き姿勢をとるように配置されている。
【００２８】
ストロボケース４はストロボ発光部５を有し、ストロボケース４の内部には配線部６およびトリガーコイル６ａが配置されている。ストロボ発光部５は第１の回動部１１の回動軸および第２の回動部１２の回動軸と平行な面（前面部）に設けられている。ここで、配線部６は、例えばポリイミドのフレキシブル配線基板であり、ストロボ発光部５とカメラ本体２とを電気的に接続するよう作用する。ストロボ発光部５と配線部６との電気的接続は銅線（図示省略）で行う。また、配線部６は、ストロボケース４からカメラ本体２に至る途中で、第１の板体３ａと第２の板体３ｂとの間で挟持されている。
【００２９】
ここで、トリガーコイル６ａとは、昇圧用トランスであり、例えば３００ボルトの電圧を３０００ボルトに上昇させるよう作用する。ストロボ発光部５は、トリガーコイル６ａで昇圧された電力を受けて、発光を開始する。なお、ストロボ発光部５は、ストロボケース４が第２の位置Ｓにあるときに発光可能となる。
【００３０】
また、ストロボケース４は、カメラ本体２に設けられた第３の係止部（ポップアップ用操作部材）１３に係合する係合部４ａを有する。第３の係止部１３は、図４におけるＢ、Ｃ方向にスライド可能であり、爪部１３ａを有し、バネ体１３ｂによってＢ方向に付勢されている。ストロボケース４が第１の位置Ｆにあるときに、第３の係止部１３の爪部１３ａが係合部４ａと係合することにより、第３の係止部１３はストロボケース４を係止して第１の位置Ｆに保持するよう作用する。
【００３１】
また、図５に示すように、カメラ本体２の上面２ａに突出して設けられた上面突部２ｂは第１の係止部１５を有し、支持部３は第１の突起部７および第２の係止部１６を有し、ストロボケース４は第２の突起部８を有する。この構成において、第１の係止部１５は、支持部３の第１の突起部７と当接することにより、支持部３のカメラ本体２に対する回動を第２の位置Ｓで係止するよう作用する。これにより、支持部３は第１の弾性部材９によって図中反時計方向に常に付勢されていても、第２の位置Ｓで係止されることとなる。また、支持部３の第２の係止部１６は、ストロボケース４の第２の突起部８と当接することにより、ストロボケース４の支持部３に対する回動を第２の位置Ｓで係止するよう作用する。これにより、ストロボケース４は第２の弾性部材１０によって図中時計方向に常に付勢されていても、第２の位置Ｓで係止されることとなる。
【００３２】
また、図６に示すように、ストロボケース４が第１の位置Ｆにあるとき、ストロボケース４に設けられた係合部４ａと、第３の係止部１３の爪部１３ａとが係合することによって、第３の係止部１３がストロボケース４を係止して第１の位置Ｆに保持している。そして、このように、ストロボケース４が第１の位置Ｆにあるときには、支持部３の側面部３ｄと平面部とによりストロボケース４の側面４ｂ、４ｃおよび底面を覆うよう構成されている。なお、図示しないが、支持部３には、ストロボケース４の係合部４ａと第３の係止部１３の爪部１３ａとを挿通させる貫通孔が形成されている。また、このようにストロボケース４が第１の位置Ｆにあるとき、ストロボ発光部５の照射窓５ａはカバー部３ｃでカバーされ、ストロボ発光部５は発光が禁止されている。
【００３３】
なお、本実施の形態１の支持部３および第１の突起部７は本発明の支持部の例であり、本実施の形態１のストロボケース４、係合部４ａおよび第２の突起部８は本発明のストロボケースの例であり、本実施の形態１のストロボ発光部５および照射窓５ａは本発明のストロボ発光部の例であり、本実施の形態１の第３の係止部１３、爪部１３ａおよびバネ体１３ｂは本発明の第３の係止部の例である。
【００３４】
以上のように構成されたストロボ内蔵カメラ１について、図４〜図６を用いてその動作を説明する。
まず、ストロボ内蔵カメラ１のストロボケース４が、図６に示す第１の位置Ｆから図４および図５に示す第２の位置Ｓに移動するときの動作について説明する。
【００３５】
図６に示すように、ストロボ内蔵カメラ１のストロボケース４が第１の位置Ｆにある場合には、第３の係止部１３の爪部１３ａがストロボケース４の係合部４ａに係合して、ストロボケース４が第１の位置Ｆに保持されている。すなわち、ストロボケース４がカメラ本体２の上面２ａ上に直接に載ったような姿勢で保持されている。
【００３６】
この状態で、ユーザーが第３の係止部１３を前方に移動させ、爪部１３ａをＣ方向にスライドさせると、爪部１３ａと係合部４ａとの係合が外れる。
すると、支持部３は第１の弾性部材９の付勢力により第１の回動部１１を中心としてカメラ本体２に対して図中反時計方向に回動し、ストロボケース４は第２の弾性部材１０の付勢力により第２の回動部１２を中心として支持部３に対して図中時計方向に回動する。この後、支持部３がカメラ本体２に対して回動を続け、第１の係止部１５に第１の突起部７が当接すると、支持部３は回動を停止する。同様に、ストロボケース４が支持部３に対して回動を続け、第２の係止部１６に第２の突起部８が当接すると、ストロボケース４は回動を停止する。このようにして、ストロボケース４は、第１の位置Ｆから上方に移動するだけでなく、前方にも移動して第２の位置Ｓとなり、また、このストロボ内蔵カメラ１では、第１の位置Ｆと第２の位置Ｓとの何れの位置でも、ストロボ発光部５が前方を向いた同様な姿勢に保持される。
【００３７】
上記のように、ユーザーが第３の係止部１３をＣ方向に移動させると、その直後にストロボケース４は第１の位置Ｆから第２の位置Ｓに移動し、ストロボ発光部５が発光可能な状態となる。
【００３８】
次に、ストロボ内蔵カメラ１のストロボケース４が、図４および図５に示す第２の位置Ｓから図６に示す第１の位置Ｆに移動するときの動作について説明する。
図４および図５において、支持部３は第１の弾性部材９で付勢され、第１の係止部１５は第１の突起部７に当接することにより支持部３を係止し、第２の係止部１６は第２の突起部８に当接することによりストロボケース４を係止している。
【００３９】
この状態からユーザーがストロボケース４の上面をカメラ本体２方向に押すと、第１の突起部７と第１の係止部１５との係止状態および第２の突起部８と第２の係止部１６との係止状態が解除され、ストロボケース４はカメラ本体２方向に移動し、支持部３が第１の弾性部材９の付勢力に抗してカメラ本体２に対して第１の回動部１１を中心に図中時計方向に回動するとともに、ストロボケース４が第２の弾性部材１０の付勢力に抗して支持部３に対して第２の回動部１２を中心に図中反時計方向に回動する。
【００４０】
そして、ユーザーがストロボケース４の上面をカメラ本体２方向に押し進めると、係合部４ａが第３の係止部１３に当接し始める。さらに、ストロボケース４の上面を押し進めることによって、爪部１３ａは係合部４ａに押し退けられてＣ方向に移動する。
【００４１】
そして爪部１３ａが押し退けられなくなるまで移動すると、第３の係止部１３はバネ体１３ｂの付勢力によってＢ方向に移動し、爪部１３ａと係合部４ａとが係合する。これにより、第３の係止部１３はストロボケース４を第１の位置Ｆに係止し、ストロボケース４は図６に示す状態となる。この状態において、ストロボ発光部５のための照射窓５ａはカバー部３ｃによってカバーされ、ストロボ発光部５は発光が禁止される。
【００４２】
ここで、支持部３の第２の回動部１２がストロボケース４の側面４ｂ、４ｃを軸支している構成であるので、ストロボケース４が第１の位置Ｆにあるとき、ストロボケース４の側面４ｂ、４ｃに接近して支持部３の側部を配置させることができ、さらに、支持部３が前後方向に沿って配置されるので、支持部３の平面部である板体３ａ、３ｂがストロボケース４の真下位置になるように配置させることができる。そして、この構造を利用して、ストロボケース４が第１の位置Ｆにあるときに、支持部３がストロボケース４の側面４ｂ、４ｃおよび底面を覆うように配置している。この結果、ストロボケース４が略直方体形状である場合に、ストロボケース４が第１の位置Ｆにあるとき、支持部３とストロボケース４とを互いに沿わせた姿勢で極めて小さいスペースに効率よく格納することができる。
【００４３】
また、ストロボケース４が第１の位置Ｆにあるときには、第１の回動部１１が支持部３の前側となり、第２の回動部１２が支持部３の後側となるような配置とし、かつ、第２の回動部１２は、ストロボケース４が第１の位置Ｆにあるときだけでなく第２の位置Ｓにあるときでもストロボケース４の後側となる箇所に配設したので、ストロボケース４を第２の位置Ｓに突出させた際に、ストロボケース４が上方だけでなく前方にも移動することとなり、この結果、ストロボケースを第２の位置に突出させた際に単に上方だけに移動する構成のものと比較して、カメラ本体２の前方中央にある鏡筒１４等の部材によりストロボケース４からの出射光が乱反射されることを低減できる。
【００４４】
また、ストロボケース４が第１の位置Ｆにあるときに、支持部３の第１の回動部１１が、ストロボケース４よりも前方となる位置に配設させたことにより、支持部３の軸支部分である第１の回動部１１をストロボケース４の下方に設けなくても済んで、この分だけ、ストロボケース４が第１の位置Ｆにあるときのストロボ内蔵カメラ１を上下方向に小型化した空間に収容することができる。
【００４５】
以上のように本実施の形態１のストロボ内蔵カメラ１によれば、第１の回動部１１と第２の回動部１２とを有し、第１の回動部１１でカメラ本体２に対して回動自在に軸支される支持部３と、第２の回動部１２で支持部３に対して回動自在に側面４ｂ、４ｃが軸支され、ストロボ発光部５を有し、第１の位置Ｆと第２の位置Ｓとの間で移動可能なストロボケース４と、支持部３を第２の位置Ｓで係止する第１の係止部１５と、ストロボケース４を第２の位置Ｓで係止する第２の係止部１６とを備えたので、ストロボケース４を軸支するのに用いられる部分を設けるために必要な空間を小さくすることができて、ストロボ内蔵カメラ１自体を小型化することができる。さらに、ストロボケース４が第１の位置Ｆにあるときには、第１の回動部１１が支持部３の前側となり、第２の回動部１２が支持部３の後側となり、かつ、第２の回動部１２は、ストロボケース４が第１の位置Ｆにあるときだけでなく第２の位置Ｓにあるときでもストロボケース４の後側となる箇所に配設したので、ストロボケース４を第２の位置Ｓに突出させた際にこのストロボケース４が上方だけでなく前方にも移動することとなり、この結果、カメラ本体２の前方中央にある鏡筒１４等の部材により出射光が乱反射されることを低減できる。
【００４６】
また、本実施の形態１によれば、支持部３およびストロボケース４がカメラ本体２の上面２ａに載った姿勢となるように配置されていることにより、支持部３およびストロボケース４の移動の基準がカメラ本体２の上面２ａとなるため、従来の内部に支持部等を設けた場合と比べて、ストロボケース４をカメラ本体２から離れた第２の位置Ｓに係止できる。これによっても、ストロボ発光部５からの発光が、ストロボ発光部５の前方にある鏡筒１４等の部材により乱反射されることを低減できる。
【００４７】
また、本実施の形態１によれば、ストロボ発光部５とカメラ本体２とを電気的に接続する配線部６を備え、支持部３は２枚の板体３ａ、３ｂを有し、配線部６は２枚の板体３ａ、３ｂの間に挟持されることにより、ストロボケース４がカメラ本体２から離れた第２の位置Ｓにある場合でも配線部６が外部に露出することがないため、配線部６が他の部材に接触することによる損傷を防止できる。また、配線部６が常に板体３ａ、３ｂの間で挟持されており、配線部６が第１の回動部１１と第２の回動部１２とのそれぞれ近傍箇所で湾曲しながら安定した姿勢で変形する構造であるので、配線部６内の配線部分が断線してしまうことを防止できて、信頼性が向上する。
【００４８】
また、本実施の形態１によれば、ストロボケース４が第１の位置Ｆにあるとき、支持部３の第１の回動部１１がストロボケース４の前方位置に配置されているため、従来のように第１の回動部がストロボケースの下方に突出するように配置されることがない。これにより、ストロボケース４が第１の位置Ｆにあるとき、カメラ本体２の上面２ａとストロボケース４の上面との距離を小さくできてコンパクト化できる。
【００４９】
また、本実施の形態１によれば、ストロボ内蔵カメラ１が、支持部３をカメラ本体２に対して第２の位置Ｓに付勢する第１の弾性部材９と、ストロボケース４を支持部３に対して第２の位置Ｓに付勢する第２の弾性部材１０と、ストロボケース４を第１の位置Ｆで係止する第３の係止部１３とを備えることにより、第３の係止部１３によりストロボケース４を第１の位置Ｆに係止しておくことができるとともに、第３の係止部による係止を外すことによりストロボケース４を第１の位置Ｆから第２の位置Ｓに自動的に移動させることができる。これにより、ユーザーが第３の係止部１３を操作することにより簡単にストロボケース４を第１の位置Ｆから第２の位置Ｓに移動させて、ストロボ発光部５の発光を可能にし、撮影を簡便に行うことができるようになる。
【００５０】
さらに、本実施の形態１によれば、ストロボケース４が第１の位置Ｆにあるときストロボ発光部５をカバーするカバー部３ｃを、支持部３と一体となすように設けたことにより、支持部３を、ストロボを使用しないときのカバー部３ｃとしても兼用できる。また、カバー部３ｃが支持部３と一体であるので、支持部３がカメラ本体２に対して移動する場合でも、ストロボケース４とカバー部３ｃとは第２の回動部１２を中心として回動する位置関係は不変であり、第２の回動部１２からのカバー部３ｃの距離がストロボケース４よりも少しだけ大きくなるように製造することで、支持部３に対してストロボケース４を閉じたときでも、ストロボケース４は支持部３の位置に関わらずカバー部３ｃと接触することがなくなり、接触による損傷を防止することができる。
【００５１】
なお、本発明の実施の形態１においては、カバー部３ｃを有する構成を示したが、カバー部３ｃを備えず、第１の位置Ｆにおいてもストロボ発光部５が発光可能である構成としても良い。この構成によれば、ユーザーは第１の位置Ｆと第２の位置Ｓを任意に選択してストロボ発光を行えるので便利である。
【００５２】
また、本発明の実施の形態１においては、支持部３はカメラ本体２に直接軸支される構成を示したが、第２の支持部を設けて、支持部３が第２の支持部に軸支され、第２の支持部がカメラ本体２に軸支される構成をとっても良い。この構成によれば、ストロボケース４が支持部３に対して回動でき、支持部３が第２の支持部に対して回動できることに加えて、第２の支持部がカメラ本体２に対して回動できることとなるので、回動可能な箇所が２箇所から３箇所に増える。これにより、ストロボケース４が第１の位置Ｆにあるときに、ストロボケース４を収納するのに必要な空間を大きくすることなく、第２の位置Ｓにおいてストロボケース４をさらにカメラ本体２から離すことができる。
（実施の形態２）
図７〜図９は本発明の実施の形態２におけるストロボ内蔵カメラの斜視図であり、図１０〜図１３は同ストロボ内蔵カメラの要部拡大側面断面図である。なお、図７、図１０、図１１はストロボケース４が第１の位置Ｆにあるときを示し、図８、図１３はストロボケース４が第２の位置Ｓにあるときを示し、図９、図１２はストロボケース４が第３の位置Ｂにあるときを示している。また、上記実施の形態と同様な機能の構成要素には同符号を付す。
【００５３】
図７〜図９に示すように、このストロボ内蔵カメラ１においても、略直方体であるストロボケース４と、このストロボケース４を支持する支持部３とが、カメラ本体２の上面部箇所に設けられているが、このストロボ内蔵カメラでは、図７に示すように、ストロボケース４が第１の位置Ｆにあるときに、支持部３およびストロボケース４がカメラ本体２の上面部内に収納された姿勢となるように配置されている。つまり、カメラ本体２の上面部には、ストロボケース４を収納させるための収納凹部２ｃ（図１３参照）が形成され、図１０、図７に示すように、ストロボケース４が第１の位置Ｆにあるとき、この収納凹部２ｃ内に、ストロボケース４および支持部３が収納される。この実施の形態２では、収納凹部２ｃは、カメラ本体２の上面部からこの上面部に続く背面部にかけて開口するように形成されている。そして、ストロボケース４が第１の位置Ｆに収納された状態では、カメラ本体２の前面部２ｄにより、ストロボケース４の前面が覆われ、カメラ本体２の前面部２ｄがカバー部としても機能する。なお、図示しないが、カメラ本体２の前面部２ｄにおける収納凹部２ｃの前方に位置する箇所には、ズームレンズ等のロゴマークなどが記載されている。なお、ズームレンズ等のロゴマークに代えて、商品名やその他のロゴマークなどを記載してもよい。
【００５４】
図１０〜図１３に示すように、この実施の形態２における支持部３は、第１の位置Ｆにある際には、収納凹部２ｃの前面部分、底面部分および側面部分に沿う形状に形成され、第１の回動部１１は、カメラ本体２の前面上端直下部に配設されている。また、上記実施の形態１と同様に、第１の回動部１１には、支持部３をカメラ本体２に対して第２の位置Ｓに付勢する第１の弾性部材９が外装され、ストロボケース４の後部下端に設けられた第２の回動部１２には、ストロボケース４を支持部３に対して第２の位置Ｓに付勢する第２の弾性部材１０が外装されている。また、ストロボケース４は、その側面が第２の回動部１２で支持部３に対して回動自在に軸支されている。ここで、第１の回動部１１は、ストロボケース４が第１の位置Ｆにあるときに支持部３の前側となる箇所に配設され、第２の回動部１２が、ストロボケース４が第１の位置Ｆにあるときに支持部３の後側となり、かつ、ストロボケース４が第１の位置Ｆにあるときだけでなく第２の位置Ｓにあるときでもストロボケース４の後側となる箇所に配設されている。また、図示しないが、上記実施の形態１と同様に、支持部３を第２の位置Ｓで係止する第１の係止部１５や第１の突起部７、ストロボケース４を第２の位置Ｓで係止する第２の係止部１６や第２の突起部８も設けられている。なお、２ｅは、カメラ本体２の収納凹部２ｃを形成する凹部壁である。
【００５５】
図１０などに示すように、カメラ本体２の上部には、前記実施の形態１における第３の係止部１３と同様な機能も有するポップアップ用操作部材２１がＤ、Ｅ方向（前後方向）にスライド自在に配設されている。このポップアップ用操作部材２１には、カメラ本体２から外部に露出する操作釦部２１ａと、支持部３に形成された第２の係合部３ｆに係合可能な爪形状の第４の係止部２１ｂと、ストロボケース４を第１の位置Ｆで係止するための第３の係止用カム部２１ｃとが形成されている。そして、図１０に示すように、ポップアップ用操作部材２１における第４の係止部２１ｂを、支持部３に形成された第２の係合部３ｆに係合させることにより、支持部３を第１の位置Ｆに係止する、すなわち、収納凹部２ｃに沿った収納姿勢に保持するよう構成されている。
【００５６】
ポップアップ用操作部材２１に形成された第３の係止用カム部２１ｃは、カメラ本体２内において回動可能に支持された第１の連動レバー１８に当接可能とされ、この第１の連動レバー１８は、支持部３において回動に支持された第２の連動レバー１９に当接可能とされ、第２の連動レバー１９は、ストロボケース４に形成された係合部４ａに係合可能とされている。つまり、第１の連動レバー１８は、軸部１８ａを中心としてカメラ本体２内で回動自在に支持され、第１の連動レバー１８の下部に形成された第１の当接部１８ｂに対して、ポップアップ用操作部材２１に形成された第３の係止用カム部２１ｃが後方から押し上げるように当接可能である。また、第１の連動レバー１８における第１の当接部１８ｂの上方箇所には、上方に突出する凸部１８ｃが一体形成され、この凸部１８ｃは、第２の連動レバー１９に形成された被当接部１９ａに下方から当接可能とされている。第２の連動レバー１９は、軸部１９ｂを中心として、支持部３において回動自在に支持され、第２の連動レバー１９の上部に一体形成された第２の爪部１９ｃが、ストロボケース４に形成された係合部４ａに係合可能に配置されている。そして、図１０に示すように、ポップアップ用操作部材２１が外部より押し込まれていない状態では、第１の連動レバー１８および第２の連動レバー１９が押し上げられておらず、第２の連動レバー１９がストロボケース４の係合部４ａに係合して、ストロボケース４を第１の位置Ｆに保持している。このようにして、ポップアップ用操作部材２１の第３の係止用カム部２１ｃと、これに連動する第１の連動レバー１８と第２の連動レバー１９とにより、ストロボケース４を第１の位置Ｆに保持する第３の係止部として機能している。なお、図示しないが、ポップアップ用操作部材２１と第１の連動レバー１８とにわたって付勢ばねが掛け渡された姿勢で介装されており、この付勢ばねの付勢力により、ポップアップ用操作部材２１は後方（Ｅ方向）に付勢され、また、第１の連動レバー１８は、その第１の当接部１８ｂが下方側となるように付勢されている。
【００５７】
ここで、図１０に示すように、ポップアップ用操作部材２１における第４の係止部２１ｂが支持部３の第２の係合部３ｆに係合する部分の距離は比較的長く設けられており、図１１に示すように、ユーザーがポップアップ用操作部材２１を少しだけＤ方向に押し込んだ場合には、ポップアップ用操作部材２１における第３の係止用カム部２１ｃにより第１の連動レバー１８および第２の連動レバー１９の被当接部１９ａが上方に回動されて、第２の連動レバー１９の第２の爪部１９ｃが、ストロボケース４の係合部４ａから離脱するようになっている一方、ポップアップ用操作部材２１における第４の係止部２１ｂは支持部３に形成された第２の係合部３ｆに係合した状態を維持するように構成されている。
【００５８】
なお、この実施の形態２においても、ストロボ発光部５とカメラ本体２とを電気的に接続する配線部６は、支持部３を構成する２枚の板体３ａ、３ｂの間に挟持されており、ストロボケース４がカメラ本体２から離れた第２の位置Ｓにある場合でも配線部６が露出することがないよう構成されている。
【００５９】
このように構成されたストロボ内蔵カメラ１において、ポップアップ用操作部材２１をＤ方向に少量だけ押圧すると、図１１に示して上述したように、ポップアップ用操作部材２１における第４の係止部２１ｂは支持部３に形成された第２の係合部３ｆに係合したままであるが、第１の連動レバー１８とともに連動した第２の連動レバー１９における第２の爪部１９ｃが、ストロボケース４の係合部４ａから離脱する。
【００６０】
この結果、図１２に示すように、第２の弾性部材１０の付勢力によりストロボケース４だけが第２の回動部１２を中心として支持部３に対して図中時計方向に回動し、ストロボケース４はそのストロボ発光部５が斜め上方を向いた位置（第３の位置Ｂと称す）で停止し、ストロボ発光部５が発光可能な状態となる。この姿勢で、天井が白色に近い色である屋内空間などでストロボ発光部５を発光させることにより、ストロボ発光部５からの光が、天井などに当たって反射し、撮像物だけでなく、撮像物の後方にあるものなど、屋内空間において全体的に照射されるようになり、いわゆるバウンズ撮影を行うことができる。
【００６１】
つまり、前記実施の形態１に示したストロボ内蔵カメラ１の構成では、ストロボ発光部５を使用するときには、常に、ストロボケース４が支持部３に対して回動するだけでなく、支持部３がカメラ本体２に対しても回動する構造であり、図４に示すように、鏡筒１４に内包されたレンズの光軸方向とストロボ発光部５からの光の照射方向が一致するようになっている。したがって、ストロボ発光部５を使用すると、撮像物やその極めて近傍の箇所におけるそれぞれ手前側の面だけに強く光が照射されてしまい、撮像物の後方に壁や物がある場合に、この撮像物の後方箇所に影の部分ができて不自然な撮像画像となってしまう場合がある。
【００６２】
これに対して、この実施の形態２に係るストロボ内蔵カメラ１によれば、ストロボケース４を図１２に示す第３の位置Ｂとすることにより、ストロボ発光部５からの光が、天井などにより拡散されながら、撮像物を含めた広い範囲で上方から照射されることとなるので、撮像物はその手前側の面だけでなく全体的に照射され、また撮像物の後方にあるものなどにも全体的に光が照射されることとなって、良好な撮像画像を得ることができる。
【００６３】
また、この状態や、図１０に示す状態で、ポップアップ用操作部材２１を強めに押圧すると、ポップアップ用操作部材２１における第４の係止部２１ｂが、支持部３に形成された第２の係合部３ｆから離脱し、この結果、第１の弾性部材９の付勢力によりカメラ本体２に対して支持部３が第１の回動部１１を中心に図中反時計方向に回動し、図１３に示すように、ストロボケース４は上方および前方に突出して第２の位置Ｓに達し、そのストロボ発光部５が正面を向いた姿勢で停止する。なお、この第２の位置Ｓでもストロボ発光部５が発光可能な状態となる。
【００６４】
また、この第２の位置Ｓとなった状態からユーザーがストロボケース４の上面をカメラ本体２方向に押すと、ストロボケース４はカメラ本体２方向に移動し、支持部３が第１の弾性部材９の付勢力に抗してカメラ本体２に対して第１の回動部１１を中心に図中時計方向に回動するとともに、ストロボケース４が第２の弾性部材１０の付勢力に抗して支持部３に対して第２の回動部１２を中心に図中反時計方向に回動する。そして、さらにユーザーがストロボケース４の上面を下方に押し進めると、第２の連動レバー１９における第２の爪部１９ｃがストロボケース４の係合部４ａに係合し、また、ポップアップ用操作部材２１における第４の係止部２１ｂが支持部３における第２の係合部３ｆに係合し、ストロボケース４は第１の位置Ｆに達して収納凹部２ｃに収納される。これにより、ストロボケース４はカメラ本体２の上面部に収納された第１の位置Ｆに配設される。
【００６５】
このように、このストロボ内蔵カメラ１によれば、ストロボケース４を第１の位置Ｆに係止する第３の係止部としての第３の係止用カム部２１ｃ、第１、第２の連動レバー１８、１９に加えて、支持部３だけを第１の位置Ｆに係止する第４の係止部２１ｂを設けたことにより、いわゆるバウンズ撮影を行うことができて、良好な撮像画像を得ることができる。また、第３の係止部としての機能を、第２の連動レバー１９の第３の係止用カム部２１ｃと、カメラ本体２に内蔵した第１の連動レバー１８と、支持部３に組付けた第２の連動レバー１９とに分割し、これらが連動して、ストロボケース４の係合部４ａに係合する構成としたので、実施の形態１のように第３の係止部１３を挿通させるための貫通孔を支持部３に設けなくても済む。また、このような第３の係止部の機能に加えて、第４の係止部２１ｂを設けるだけの簡単な機能追加だけでバウンズ撮影が可能となるので、製造コストの増加も最小限に抑えることができる。
【００６６】
さらに、ポップアップ用操作部材２１により、ストロボケース４を第１の位置Ｆに係止する機能と、支持部３だけを第１の位置Ｆに係止する機能との両方の機能を有するように構成し、ポップアップ用操作部材２１の押圧量（移動量）を調整しながら操作することで、ストロボケース４を第２の位置Ｓに移動させる姿勢と、第３の位置Ｓに移動させる姿勢とに簡単に切り換え操作できるので、操作性能が良好となり、利便性が向上する。つまり、ストロボケース４を第２の位置Ｓに移動させるための操作部材と、ストロボケース４をと第３の位置Ｓに移動させるための操作部材とを、それぞれ別個に設けた場合には、操作箇所（操作部材自体）を変えなければならないとともに、部品点数も多めとなるが、このようなことがないので、便利であるとともに、部品点数の低減も図れる。
【００６７】
また、上記実施の形態１では、ストロボ発光部５をカバーするカバー部３ｃを支持部３と一体となすように設けたので、このカバー部３ｃに商品や部品のロゴマークを記載すると、このロゴマークが、カメラ本体２に対して分割されて一体感が失われたり、ストロボケース４を第２の位置Ｓにした際に、カメラ本体２に隠れて見難くなったりする。これに比較して、この実施の形態２のストロボ内蔵カメラ１によれば、ストロボ発光部５をカバーするカバー部が、カメラ本体２に固定されており、この実施の形態２ではカメラ本体２の前面部２ｄで構成されているので、この箇所に描いたロゴマークが、常にカメラ本体２から分離されることなく一体的に表示されるとともに、隠れて見難くなることもないので、視認性が良好に維持される。
（実施の形態３）
図１４〜図１８は本発明の実施の形態３におけるストロボ内蔵カメラの要部拡大側面断面図である。なお、図１４はストロボケース４が第１の位置Ｆにあるときを示し、図１５はストロボケース４が第２の位置Ｓにあるときを示し、図１６〜図１８はストロボケース４を第２の位置Ｓから第１の位置Ｆに移動する際の状態をそれぞれ示している。また、上記実施の形態と同様な機能の構成要素には同符号を付す。
【００６８】
図１４〜図１８に示すように、このストロボ内蔵カメラ１は、上記実施の形態２に示す構成を備えているとともに、この構成に加えて、ストロボケース４の支持部３に対する第１の位置Ｆ側への回動を規制する規制機構を有している。また、第１の位置Ｆでは、カメラ本体２の前面部２ｄによりストロボケース４の前面が覆われ、カメラ本体２の前面部２ｄがカバー部としても機能している。
【００６９】
ここで、上記実施の形態２のストロボ内蔵カメラ１のように、ストロボケース４のカバー部として機能する箇所がカメラ本体２に固定されており、第２の位置Ｓから第１の位置Ｆへの移動時に、ストロボケース４が第２の回動部１２を中心に自由に回動できる構造であると、ストロボケース４の前端部が、カメラ本体２の収納凹部２ｃの壁面を形成する前面部上端の背面箇所に接触することがあり得る。
【００７０】
これに対処すべく、この実施の形態３に係るストロボ内蔵カメラでは、ストロボケース４の第２の位置Ｓから第１の位置Ｆへの移動時にカメラ本体２に対する支持部３の所定回動範囲において、ストロボケース４の支持部３に対する第１位置側への回動を規制する規制機構を設けている。
【００７１】
具体的には、支持部３における側面部近傍箇所に、支持部３内においてＧ、Ｈ方向に移動可能なスライド部材２２を配設し、このスライド部材２２内に、スライド部材２２をＨ方向に付勢する付勢ばね２３と、スライド部材２２の位置を規制するとともに付勢ばね２３の一端を受けるストッパ２９とを配置している。また、スライド部材２２の一端側に、収納凹部２ｃの下面側から上方に突出する第１の突出部２４に対して当接可能な第１の傾斜面２２ａと、ストロボケース４内から支持部３側に向けて突出する第２の突出部２５に対して当接可能な第２の傾斜面２２ｂと、この第２の傾斜面２２ｂに続いて形成された第３の突起部２２ｃとを形成している。そして、図１４に示すように、ストロボケース４が第１の位置Ｆであるときは、スライド部材２２の第３の突起部２２ｃがストロボケース４の第２の突出部２５に対して側方から当接し、また、スライド部材２２の第１の傾斜面２２ａが第１の突出部２４に当接している。
【００７２】
また、図１５に示すように、ストロボケース４が第２の位置Ｓであるときは、ストロボケース４がカメラ本体２の収納凹部２ｃから離脱しているので、スライド部材２２は、第１の突出部２４や第２の突出部２５から離反している。
【００７３】
ストロボケース４が第２の位置Ｓから第１の位置Ｆに戻る際には、以下のような動作が行われる。
まず、ストロボケース４を第２の位置Ｓからカメラ本体２側に押し込み始めると、図１６に示すように、ストロボケース４の第２の突出部２５における先端が、スライド部材２２の第２の傾斜面２２ｂから第３の突起部２２ｃにつながる箇所に当接する。なお、このように第２の突出部２５がスライド部材２２に当接するまでは、ストロボケース４は支持部３に対して、第１の位置Ｆ側（接近する側）に自由に回動できる。
【００７４】
しかしながら、図１６に示す姿勢から、さらにストロボケース４をカメラ本体２側に押し込むと、ストロボケース４の第２の突出部２５の先端がスライド部材２２の第２の傾斜面２２ｂおよび第３の突起部２２ｃに当接して突っ張ったロック状態となるため、ストロボケース４は支持部３に対して接近する方向（第２の回転部１２を中心とするＪ方向）には回動せず、支持部３がカメラ本体２の収納凹部２ｃ内側に向かってＫ方向へ回動する動作のみを行う。これにより、ストロボケース４の先端部４ｄがカメラ本体２における収納凹部２ｃの壁面を形成する前面部上端の背面箇所２ｅに接近した状態では、ストロボケース４の支持部３に対する回動が規制され、ストロボケース４の前端部が、カメラ本体２の前記背面箇所２ｅに接触することが防止される。
【００７５】
この後、さらにストロボケース４をカメラ本体２側に押し込み、図１７に示すように、支持部３をカメラ本体２の収納凹部２ｃ内側に入り込ませると、スライド部材２２の第１の傾斜面２２ａが第１の突出部２４に当接する。そして、この状態からさらにストロボケース４をカメラ本体２側に押し込むと、スライド部材２２の第１の傾斜面２２ａに当接した第１の突出部２４により、スライド部材２２がＧ方向に押し込まれてスライドし、この結果、ストロボケース４の第２の突出部２５の先端が、スライド部材２２の第２の傾斜面２２ｂから第３の突起部２２ｃにつながる箇所から離脱する。これにより、ストロボケース４は第１の位置Ｆ側に向けてＪ方向に回動可能なロック解除状態となり、支障なく第１の位置Ｆまで回動できて収納される。
【００７６】
この構成により、カメラ本体２の前面部２ｄによりカバー部の機能を持たせるなどして、カバー部をカメラ本体２側に固定して設けた場合でも、ストロボケース４の第２の位置Ｓから第１の位置Ｆへの移動時に、前記カバー部としての前面部２ｄにストロボケース４が接触して損傷することを防止できる。
【００７７】
また、この構成によれば、カバー部がカメラ本体２自体に一体化されているので、ストロボケース４を第１の位置Ｆに収納させた場合に、ストロボケース４が目立たず、デザイン的にシンプルとなる。
【００７８】
なお、上記実施の形態２、３では、第１の位置Ｆにおいてストロボケース４がカメラ本体２の上部に設けた収納凹部２ｃに収納される場合を述べたが、これに限るものではなく、例えば、カメラ本体２の上面から上方に突出するようにカバー部を設けてカメラ本体２に固定し、このカバー部の後方にストロボケース４および支持部３が格納されるよう構成してもよい。
【産業上の利用可能性】
【００７９】
本発明のストロボ内蔵カメラは、デジタルスチルカメラやフィルム感光型の小型カメラなど、各種のストロボ内蔵カメラに対して有用である。
【符号の説明】
【００８０】
１  ストロボ内蔵カメラ
２  カメラ本体
２ｃ  収納凹部
２ｄ  前面部
３  支持部
３ａ  第１の板体
３ｂ  第２の板体
３ｃ  カバー部
３ｆ  第２の係合部
４  ストロボケース
４ａ  係合部
４ｂ、４ｃ  側面
５  ストロボ発光部
５ａ  照射窓
６  配線部
６ａ  トリガーコイル
７  第１の突起部
８  第２の突起部
９  第１の弾性部材
１０  第２の弾性部材
１１  第１の回動部
１２  第２の回動部
１３  第３の係止部
１３ａ  爪部
１３ｂ  バネ体
１４  鏡筒
１８  第１の連動レバー
１８ａ  軸部
１８ｂ  第１の当接部
１８ｃ  凸部
１９  第２の連動レバー
１９ａ  被当接部
１９ｂ  軸部
１９ｃ  第２の爪部
２１  ポップアップ用操作部材
２１ａ  操作釦部
２１ｂ  第４の係止部
２１ｃ  第３の係止用カム部
２２  スライド部材
２２ａ  第１の傾斜面
２２ｂ  第２の傾斜面
２２ｃ  第３の突起部
２４  第１の突出部
２５  第２の突出部
【図１】
2010015178.tif 000003
【図２】
2010015178.tif 000004
【図３】
2010015178.tif 000005
【図４】
2010015178.tif 000006
【図５】
2010015178.tif 000007
【図６】
2010015178.tif 000008
【図７】
2010015178.tif 000009
【図８】
2010015178.tif 000010
【図９】
2010015178.tif 000011
【図１０】
2010015178.tif 000012
【図１１】
2010015178.tif 000013
【図１２】
2010015178.tif 000014
【図１３】
2010015178.tif 000015
【図１４】
2010015178.tif 000016
【図１５】
2010015178.tif 000017
【図１６】
2010015178.tif 000018
【図１７】
2010015178.tif 000019
【図１８】
2010015178.tif 000020
【図１９】
2010015178.tif 000021
【図２０】
2010015178.tif 000022
【図２１】
2010015178.tif 000023
【図２２】
2010015178.tif 000024